(57)【要約】【課題】遊技者にカード状記録媒体が挿入されたままであるとの注意を喚起できる呼出表示装置を得る。【解決手段】遊技台１の遊技者１２を検出する検出センサ１４と、各遊技台１に隣接して設けられ挿入されるカード状記録媒体６に応じて遊技媒体を払い出す遊技媒体貸出機４からのカード状記録媒体６が挿入されているとのカード挿入信号を受けているときに、検出センサ１４により遊技者１２を検出しなくなると報知信号を出力する判断回路１８と呼出表示装置２に設ける。また、判断回路１８からの報知信号を受けてランプ２８を点滅したりスピーカ３０から音声を発する。更に、判断回路１８に切換信号を出力する切換判定回路２２を備え、切換判定回路２２からの切換信号を受けると、検出センサ１４により侵入者を検出したときには侵入信号を出力する。【選択図】図２
2010220957.tif 000002
【特許請求の範囲】
【請求項１】
設置島に配列された各遊技台毎に設けられる呼出表示装置において、
前記遊技台の前方の遊技者を検出する検出センサと、
前記各遊技台に隣接して設けられ挿入されるカード状記録媒体に応じて遊技媒体を払い出す遊技媒体貸出機からの前記カード状記録媒体が挿入されているとのカード挿入信号を受けているときに、前記検出センサにより前記遊技者を検出しなくなると報知信号を出力する判断手段と、
該判断手段からの報知信号を受けて報知をする報知手段とを備えたことを特徴とする呼出表示装置。
【請求項２】
前記判断手段は、前記報知信号と共に前記遊技媒体貸出機に排出・貸与禁止信号を出力することを特徴とする請求項１に記載の呼出表示装置。
【請求項３】
前記判断手段に切換信号を出力する切換判定手段を備え、
前記判断手段は前記切換判定手段からの前記切換信号を受けると、前記検出センサにより侵入者を検出したときには侵入信号を出力することを特徴とする請求項１又は請求項２のいずれかに記載の呼出表示装置。
【発明の詳細な説明】
【技術分野】
【０００１】
本発明は、設置島に配列された各遊技台毎に設けられる呼出表示装置に関する。
【背景技術】
【０００２】
従来より、遊技場では、パチンコ台やスロットルマシン等の遊技台が多数配列されて設置島が形成されている。各遊技台の上側には、特許文献１にあるように、呼出表示装置が設けられ、呼出表示装置には、呼出スイッチによって点灯される発光体等が設けられている。また、特許文献２にあるように、各遊技台に隣接して、挿入されるカード状記録媒体に応じて遊技媒体を払い出す遊技媒体貸出機が設けられている。
【先行技術文献】
【特許文献】
【０００３】
【特許文献１】特開２００５−３２３８５０号公報
【特許文献２】特開平０２−１８５２７７号公報
【発明の概要】
【発明が解決しようとする課題】
【０００４】
しかしながら、こうした従来のものでは、遊技媒体貸出機にカード状記録媒体を挿入したまま、遊技者が遊技台から離れると、カード状記録媒体の盗難にあうおそれがあるという問題があった。
【０００５】
本発明の課題は、遊技者にカード状記録媒体が挿入されたままであるとの注意を喚起できる呼出表示装置を提供することにある。
【課題を解決するための手段】
【０００６】
かかる課題を達成すべく、本発明は課題を解決するため次の手段を取った。即ち、
設置島に配列された各遊技台毎に設けられる呼出表示装置において、
前記遊技台の前方の遊技者を検出する検出センサと、
前記各遊技台に隣接して設けられ挿入されるカード状記録媒体に応じて遊技媒体を払い出す遊技媒体貸出機からの前記カード状記録媒体が挿入されているとのカード挿入信号を受けているときに、前記検出センサにより前記遊技者を検出しなくなると報知信号を出力する判断手段と、
該判断手段からの報知信号を受けて報知をする報知手段とを備えたことを特徴とする呼出表示装置がそれである。
【０００７】
前記判断手段は、前記報知信号と共に前記遊技媒体貸出機に排出・貸与禁止信号を出力する構成でもよい。また、前記判断手段に切換信号を出力する切換判定手段を備え、前記判断手段は前記切換判定手段からの前記切換信号を受けると、前記検出センサにより侵入者を検出したときには侵入信号を出力する構成でもよい。
【発明の効果】
【０００８】
本発明の呼出表示装置は、遊技媒体貸出機にカード状記録媒体を挿入したまま、遊技者が遊技台から離れたときに、報知手段から報知して、遊技者にカード状記録媒体が挿入されたままであるとの注意を喚起できるという効果を奏する。
【図面の簡単な説明】
【０００９】
【図１】本発明の一実施形態としての呼出表示装置を用いた遊技場の概略構成図である。
【図２】本実施形態の呼出表示装置の電気系統を示すブロック図である。
【発明を実施するための形態】
【００１０】
以下本発明を実施するための形態を図面に基づいて詳細に説明する。
図１に示すように、１はパチンコ台等の遊技台で、複数の遊技台１が配列されて、設置島が形成されており、また、遊技場内には、この設置島も複数設けられている。各遊技台１の上壁には、各遊技台１毎に呼出表示装置２が取り付けられている。更に、各遊技台１に隣接して遊技媒体貸出機４が設けられ、遊技媒体貸出機４は各遊技台１の間毎に配置されている。
【００１１】
遊技媒体貸出機４はカード状記録媒体６を挿入することにより、カード状記録媒体６に記録された情報に応じて、パチンコ玉等の遊技媒体を払い出す周知のものである。遊技媒体貸出機４には払出スイッチ８等が設けられており、払出スイッチ８が押下されると、例えば、遊技媒体貸出機４は一定量の遊技媒体を取出口１０に払い出し、挿入されているカード状記録媒体６から一定金額を減算して新たな残高を記憶させる。
【００１２】
呼出表示装置２には、図２に示すように、遊技者１２を検出する人体検出センサ１４が設けられている。人体検出センサ１４は遊技者１２の放出する赤外線を検出することにより遊技者１２を検出するものである。尚、人体検出センサ１４は赤外線を検出するものに限らず、ＣＣＤセンサ等により、画像に基づいて遊技者１２を検出するものでもよい。
【００１３】
遊技台１の前面には椅子１６が設けられており、椅子１６に座った遊技者１２が遊技台１を操作できるように配置されている。人体検出センサ１４は呼出表示装置２の前の椅子１６に座っている遊技者１２を検出するもので、隣の遊技台１の椅子１６に座っている遊技者１２を検出しないように、遊技台１の前方で遊技台１の近傍の狭い範囲内にいる遊技者１２を検出するように設けられている。
【００１４】
人体検出センサ１４は、人体検出信号を判断手段としての判断回路１８に出力するように接続されており、判断回路１８には通信回路２０を介して遊技台１からの遊技情報信号が入力されるように接続されている。また、遊技媒体貸出機４からの遊技媒体貸出機４にカード状記録媒体６が挿入されているとのカード挿入信号が通信回路２０を介して入力されるように、遊技媒体貸出機４に接続されている。更に、遊技媒体貸出機４へ排出・貸出防止信号を通信回路２０を介して出力するように接続されている。
【００１５】
判断回路１８には、切換判定回路２２からの切換信号が入力されるように接続されており、更に、通信回路２０を介して、遊技場内の各設置島の各遊技台１を管理する管理装置２４に通信線２６を介して接続されており、管理装置２４からの切換信号を通信回路２０を介して切換判定回路２２に入力されるように接続されている。尚、切換信号は呼出表示装置２等に設けた図示しないスイッチから切換判定回路２２に入力するように構成してもよい。
【００１６】
判断回路１８には、判断回路１８からの信号に基づいて点灯するランプ２８が接続されると共に、判断回路１８からの信号に基づいて音声等を発するスピーカ３０が接続されている。また、判断回路１８には呼出スイッチ３２からの呼出信号が入力されるように接続されており、呼出信号が入力された際にはランプ２８を点滅させる。
【００１７】
次に、前述した本実施形態の呼出表示装置２の作動について説明する。
遊技者１２が遊技台１の前の椅子１６に座り、遊技媒体貸出機４にカード状記録媒体６を挿入して、遊技媒体貸出機４から遊技媒体の払い出しを受けて、遊技台１での遊技を開始する。
【００１８】
遊技媒体貸出機４はカード状記録媒体６が挿入されているとのカード挿入信号を通信回路２０を介して判断回路１８に出力する。また、人体検出センサ１４は椅子１６に座っている遊技者１２を検出して、検出信号を判断回路１８に出力する。
【００１９】
カード状記録媒体６を引き出すことなく、カード状記録媒体６を遊技媒体貸出機４に挿入したままの状態で、遊技者１２が休息や洗面所に行くために遊技台１の操作を一旦停止して、椅子１６から立ち上がり、遊技台１の前面から離れると、人体検出センサ１４は遊技者１２を検出しなくなる。
【００２０】
このときには、人体検出センサ１４から遊技者１２を検出している検出信号が入力されている状態から、検出しなくなった状態の非検出信号に変化する。また、遊技媒体貸出機４にカード状記録媒体６が挿入されているとのカード挿入信号が判断回路１８に入力された状態が維持されている。
【００２１】
よって、判断回路１８はカード状記録媒体６を挿入したまま、それを忘れて遊技者１２が遊技台１の前から離れたと判断して、ランプ２８やスピーカ３０に報知信号を出力する。例えば、ランプ２８は報知信号に応じて点滅したり、スピーカ３０は「カードを忘れています」等との音声信号を発する。
【００２２】
遊技者１２にカード状記録媒体６が挿入されたままであるとの注意を喚起でき、遊技者１２は遊技媒体貸出機４にカード状記録媒体６を挿入したままの状態であるのに気が付き、カード状記録媒体６を引き抜いて遊技台１から離れて用事を済ますことができる。
【００２３】
これにより、遊技媒体貸出機４にカード状記録媒体６を挿入したままの状態であるのを忘れて、遊技者１２が遊技台１から離れ、その間に他の遊技者１２が無断でカード状記録媒体６を引き出すのを防止できる。
【００２４】
また、遊技媒体貸出機４へ排出・貸出防止信号を通信回路２０を介して出力する。これにより、遊技媒体貸出機４は払出スイッチ８が押下されても、遊技媒体の払い出しをしないようにすることができ、不正な払い出しを防止できる。
【００２５】
一方、遊技場の一日の営業を終了して、遊技場を閉鎖する際には、管理装置２４から呼出表示装置２に切換信号を出力する。呼出表示装置２はこの切換信号を通信回路２０を介して切換判定回路２２に入力すると、切換判定回路２２は判断回路１８に切換信号を出力する。
【００２６】
判断回路１８はこの切換信号を受けた後、人体検出センサ１４が侵入者等の人体を検出したときには、侵入信号を出力する。例えば、侵入信号を通信回路２０を介して管理装置２４に出力し、管理装置２４は遊技場内の防犯カメラにより侵入信号を出力した呼出表示装置２の近傍を撮影する。あるいは、ランプ２８を点滅させたり、スピーカ３０から「侵入者です」等との音声を発するようにしてもよい。このように、遊技場を閉鎖した後は、呼出表示装置２を防犯装置として使用できる。
【００２７】
以上本発明はこの様な実施形態に何等限定されるものではなく、本発明の要旨を逸脱しない範囲において種々なる態様で実施し得る。
【符号の説明】
【００２８】
１…遊技台          ２…呼出表示装置
４…遊技媒体貸出機  ６…カード状記録媒体
８…払出スイッチ    １０…取出口
１２…遊技者        １４…人体検出センサ
１６…椅子          １８…判断回路
２０…通信回路      ２２…切換判定回路
２４…管理装置      ２６…通信線
２８…ランプ        ３０…スピーカ
３２…呼出スイッチ
【図１】
2010220957.tif 000003
【図２】
2010220957.tif 000004